(57)【要約】【構成】水上スポーツ用具に装着するフィンプラグ（１０）である。このフィンプラグ（１０）は水上スポーツ用具フィン（５０）のベース部分（１５）を受け取る第１開放キャビティ（２０）、弾性的なバイアス作用ロッド（３０）、およびこのバイアス作用ロッドと連動する突出部材（３５）を有する。この突出部材が、上記第１開放キャビティ（２０）に受け取られた時に上記フィン（５０）のベース部分（１５）に当接する。上記バイアス作用ロッドおよび突出部材が上記フィンのベース部分に力を作用させて、上記フィンが上記第１開放キャビティから抜け出ることを抑制する。【選択図】図１Ａ
2015521975.tif 000002
【特許請求の範囲】
【請求項１】
水上スポーツ用具に装着するフィンプラグであって、
水上スポーツ用具フィンのベース部分を受け取る第１開放キャビティ、および
弾性バイアス作用ロッドおよびこのバイアス作用ロッドと連動する突出部材を有し、この突出部材が、前記の第１開放キャビティに受け取られたときに前記フィンの前記ベース部分に当接し、
前記バイアス作用ロッドおよび前記突出部材が前記フィンの前記ベース部分に力を加え、前記フィンが前記第１開放キャビティから抜け出ることを抑制することを特徴とするフィンプラグ。
【請求項２】
前記バイアス作用ロッドを前記第１開放キャビティに隣接して設けた請求項１に記載のフィンプラグ。
【請求項３】
前記バイアス作用ロッドが、前記フィンの前記ベース部分の側面に対して実質的に平行に延在する請求項１または２に記載のフィンプラグ。
【請求項４】
前記突出部材が、前記フィンの前記ベース部分の前記側面に当接する請求項３に記載のフィンプラグ。
【請求項５】
さらに横キャビティを有し、この横キャビティに前記バイアス作用ロッドを設けた請求項４に記載のフィンプラグ。
【請求項６】
前記横キャビティおよび前記第１開放キャビティを開口付き壁によって分離し、かつ前記突出部材の一部が前記壁の開口を介して前記第１開放キャビティ内に突出する請求項５に記載のフィンプラグ。
【請求項７】
前記フィンの前記ベース部分の前記側面が傾斜面部を有し、この傾斜面部が前記突出部材と連動し、前記第１開放キャビティ内に内向きに働く力を前記バイアス作用ロッドの作用前記ベース部分に加える請求項３〜６のいずれか１項に記載のフィンプラグ。
【請求項８】
前方領域および後方領域を有し、この前方領域にフィンの抜け出しを抑制する別な手段を設けた請求項１〜７のいずれか１項に記載のフィンプラグ。
【請求項９】
前記突出部材を前記後方領域に設けた請求項８に記載のフィンプラグ。
【請求項１０】
前記フィンの抜け出しを抑制する別な手段がフィン係合手段を有する請求項８に記載のフィンプラグ。
【請求項１１】
前記フィン係合手段が前記フィンのフィン部に乗り上げる棚部分を有し、前記フィンの前記ベース部分が前記第１開放キャビティ内に受け取られた時に前記フィンが動くことを抑制する請求項１０に記載のフィンプラグ。
【請求項１２】
第２開放キャビティを有し、
前記第１開放キャビティが前記フィンの前記ベース部分の第１タブを受け取り、そして前記第２開放キャビティが前記フィンの前記ベース部分の第２タブを受け取る請求項１〜１１のいずれか１項に記載のフィンプラグ。
【請求項１３】
前記第１開放キャビティを前記後方領域に設け、そして前記第２開放キャビティを前記前方領域に設けた請求項１２に記載のフィンプラグ。
【請求項１４】
前記フィンの前記ベース部分の前記傾斜部を前記第１タブに設けた請求項８〜１３のいずれか１項に記載のフィンプラグ。
【請求項１５】
前記棚部分を前記第２開放キャビティ内に設けた請求項１１〜１４のいずれか１項に記載のフィンプラグ。
【請求項１６】
前記棚部分が前記第２開放キャビティの一端から延在する棚部分を有し、前記棚と前記第２開放キャビティの底面との間に凹部を形成し、この凹部に前記フィン部を受け取る請求項１５に記載のフィンプラグ。
【請求項１７】
前記フィン部を前記フィンの前記ベース部分の前記第２タブに設けた請求項１１〜１６のいずれか１項に記載のフィンプラグ。
【請求項１８】
前記突出部材が、前記バイアス作用ロッドの周囲に設けられたリング状部材である請求項１〜１７のいずれか１項に記載のフィンプラグ。
【請求項１９】
前記リング状部材が前記バイアス作用ロッドを中心にして回転する請求項１８に記載のフィンプラグ。
【請求項２０】
前記リング状部材が２つの側面間に延在する円周外面を有し、この円周外面がこれら２つの側面間に凸形状を有する請求項１８または１９に記載のフィンプラグ。
【請求項２１】
さらにグラブネジを有し、このグラブネジが前記第１開放キャビティ内に延在し、前記フィンの前記ベース部分を前記第１開放キャビティ内にさらに固定する請求項１〜２０のいずれか１項に記載のフィンプラグ。
【請求項２２】
さらに別なグラブネジを有し、このグラブネジが前記第２開放キャビティ内に延在し、前記フィンの前記ベース部分の前記第２タブを前記第２開放キャビティ内に固定する請求項２１に記載のフィンプラグ。
【請求項２３】
前記第１開放キャビティおよび前記第２開放キャビティをブリッジ部によって分離し、このブリッジ部の上面が前記水上スポーツ用具フィンの下面に当接する請求項１２〜２２のいずれか１項に記載のフィンプラグ。
【請求項２４】
前記水上スポーツ用具がサーフボードである請求項１〜２３のいずれか１項に記載のフィンプラグ。
【請求項２５】
請求項１〜２４のいずれか１項のフィンプラグの開放キャビティ内に受け取られるベース部分を有することを特徴する水上スポーツ用具フィン。
【請求項２６】
前記ベース部分が側面を有し、この側面が前記フィンプラグの突出部材に当接する請求項２５に記載の水上スポーツ用具フィン。
【請求項２７】
前記側面が傾斜部を有し、この傾斜部が前記突出部材と連動し、前記開放キャビティ内に内向きに働く力を前記フィンプラグの前記バイアス作用ロッドの作用で前記ベース部分に加える請求項２６に記載の水上スポーツ用具フィン。
【請求項２８】
さらにフィン部を有し、このフィン部が前記フィンプラグの前記棚部分の下に入り込み、前記フィンの前記ベース部分が前記第１開放キャビティ内に受け取られた時に前記フィンの動きを抑制する請求項２５〜２７のいずれか１項に記載の水上スポーツ用具フィン。
【請求項２９】
前記ベース部分が第１タブおよび第２タブを有し、前記フィンプラグが第１開放キャビティおよび第２開放キャビティを有し、この第１タブが前記第１開放キャビティ内に受け取られ、かつこの第２タブが前記第２開放キャビティ内に受け取られる請求項２５〜２８のいずれか１項に記載の水上スポーツ用具フィン。
【請求項３０】
前記ベース部分の前記傾斜面部を前記第１タブに設けた請求項２９に記載の水上スポーツ用具フィン。
【請求項３１】
前記フィン部を前記第２タブに設けた請求項２８〜３０のいずれか１項に記載の水上スポーツ用具フィン。
【請求項３２】
下面を有し、この下面が前記フィンプラグの前記ブリッジ部の上面に当接する請求項２５〜３１のいずれか１項に記載の水上スポーツ用具フィン。
【請求項３３】
前記水上スポーツ用具がサーフボードである請求項２５〜３２のいずれか１項に記載の水上スポーツ用具フィン。
【請求項３４】
請求項１〜２４のいずれか１項のフィンプラグおよび請求項２５〜３３のいずれか１項に記載の水上スポーツ用具フィンを有する、サーフボードに使用するフィンプラグおよび水上スポーツ用具フィンキット。
【請求項３５】
ベース部分を有し、このベース部分が請求項１〜２４のいずれか１項に記載のフィンプラグの開放キャビティ内に受け取られる水上スポーツ用具アタッチメント装置。
【請求項３６】
前記ベース部分が側面を有し、この側面が前記フィンプラグの前記突出部材に当接する請求項３５に記載の水上スポーツ用具アタッチメント装置。
【請求項３７】
前記側面が傾斜部を有し、この傾斜部が前記突出部材と連動し、前記開放キャビティ内に内向きに働く力を前記フィンプラグの前記バイアス作用ロッドの作用で前記ベース部分に加える請求項３６に記載の水上スポーツ用具アタッチメント装置。
【請求項３８】
さらにノーズ部を有し、このノーズ部が前記フィンプラグの前記棚部分の下に入り込み、前記水上スポーツ用具アタッチメント装置の前記ベース部分が前記第１開放キャビティ内に受け取られた時に前記水上スポーツ用具アタッチメント装置の動きを抑制する請求項３５〜３７のいずれか１項に記載の水上スポーツ用具アタッチメント装置。
【請求項３９】
前記ベース部分が第１タブおよび第２タブを有し、前記フィンプラグが第１開放キャビティおよび第２開放キャビティを有し、この第１タブが前記第１開放キャビティ内に受け取られ、かつこの第２タブが前記第２開放キャビティ内に受け取られる請求項３５〜３８のいずれか１項に記載の水上スポーツ用具アタッチメント装置。
【請求項４０】
前記ベース部分の前記傾斜部を前記第１タブに設けた請求項３９に記載の水上スポーツ用具アタッチメント装置。
【請求項４１】
前記ベース部分の前記ノーズ部を前記第２タブに設けた請求項３９または４０に記載の水上スポーツ用具アタッチメント装置。
【請求項４２】
さらに前記スポーツ用具アタッチメント装置を支持構造体に接続する支持接続要素を有する請求項３５〜４１のいずれか１項に記載の水上スポーツ用具アタッチメント装置。
【請求項４３】
前記支持接続要素がフック要素を有する請求項４２に記載の水上スポーツ用具アタッチメント装置。
【請求項４４】
前記フック要素が前記水上スポーツ用具アタッチメント装置を支持ロッドに接続する請求項４３に記載の水上スポーツ用具アタッチメント装置。
【請求項４５】
前記支持接続要素が中間部によって前記ベース部分から分離された請求項４２〜４４のいずれか１項に記載の水上スポーツ用具アタッチメント装置。
【請求項４６】
前記フック要素が、前記第１タブおよび前記第２タブの面に対して直角な面に存在する請求項４２〜４５のいずれか１項に記載の水上スポーツ用具アタッチメント装置。
【請求項４７】
さらに下面を有し、この下面が前記フィンプラグの前記ブリッジ部の上面に当接する請求項３５〜４６のいずれか１項に記載の水上スポーツ用具アタッチメント装置。
【請求項４８】
前記水上スポーツ用具アタッチメント装置がサーフボード内の前記フィンプラグに接続する請求項３５〜４７のいずれか１項に記載の水上スポーツ用具アタッチメント装置。
【請求項４９】
水上スポーツ用具に装着するフィンプラグであって、実質的に添付図面の一つかそれ以上を参照して説明したことを特徴とするフィンプラグ。
【請求項５０】
実質的に添付図面の一つかそれ以上を参照して説明したことを特徴とする水上スポーツ用具フィン。
【請求項５１】
実質的に図２９Ａ〜図２９Ｈのいずれか一つを参照して説明したことを特徴とする水上スポーツ用具アタッチメント装置。
【請求項５２】
水上スポーツ用具の第１フィン部分を保持する装置であって、
ａ）キャビティ壁を有する第１キャビティ、および
ｂ）このキャビティ壁の細長い側面に少なくとも部分的に沿って設けられ、延在部分を有する細長い弾性部材を有し、この延在部分が前記弾性部材から前記キャビティ壁の細長い側部の凹部を通って延在し、
前記第１フィン部分が第１キャビティに挿入できる形状を取るため、前記の細長い弾性部材および前記延在部分の一方が、あるいは両方が前記第１フィン部分に力を加えて、前記第１フィン部分を前記第１キャビティ内に保持することを特徴とする装置。
【請求項５３】
前記の細長い弾性部材が弾性ロッドであり、そして前記延在部分が球根状部分を有し、この球根状部分が前記第１フィン部分に係合する請求項５２に記載の装置。
【請求項５４】
前記球根状部分は前記の細長いロッドの周りに形成される車輪状部材の一部を構成し、この車輪状部材は、前記第１フィン部分の装着時、あるいは取り外し時前記第１フィン部分に係合するさいに前記ロッドを中心にして回転できる形状を取り、前記第１フィン部分が前記装置に装着された時に前記第１フィン部分を前記第１キャビティ内に保持する請求項５３に記載の装置。
【請求項５５】
前記第１フィン部分がサイドフィン面の溝付き部分を有し、この溝付き部分が前記延在部分に係合する請求項５２〜５４のいずれか１項に記載の装置。
【請求項５６】
前記車輪状部材の面が前記溝付き部分内に着座する請求項５４に従属する請求項５５に記載の装置。
【請求項５７】
第２キャビティを有し、この第２キャビティは突出部を有し、この突出部が第２フィン部分の対応する凹部に受け取られ、この第２フィン部分を前記第２キャビティ内に保持する請求項５２〜５６のいずれか１項に記載の装置。
【請求項５８】
前記突出部および前記凹部のいずれか一方または両方、および前記延在部分および前記第１フィン部分をスナップロックする請求項５７に記載の装置。
【請求項５９】
前記第１キャビティおよび前記第２キャビティが一つの細長いキャビティの一部を構成する請求項５７に記載の装置。
【請求項６０】
前記第１キャビティおよび前記第２キャビティが、前記装置内に形成された２つの異なるキャビティである請求項５７に記載の装置。
【請求項６１】
前記第１フィン部分および前記第２フィン部分がそれぞれ第１タブおよび第２タブであり、これら第１タブおよび第２タブが前記フィンのベース部分から突出する請求項５７〜６０のいずれか１項に記載の装置。
【請求項６２】
数字の８の字の形を取るように構成した請求項５２〜６１のいずれか１項に記載の装置。
【請求項６３】
前記第１キャビティが前記８の字の第１端部内に形成され、そして前記第２キャビティが前記８の字の第２端部内に形成された請求項５７に従属する請求項６２に記載の装置。
【請求項６４】
前記水上スポーツ用具に一体化した請求項５２〜６３のいずれか１項に記載の装置。
【請求項６５】
前記水上スポーツ用具に挿入可能な請求項５２〜６４のいずれか１項に記載の装置。
【請求項６６】
請求項５２〜６５のいずれか１項に記載の装置を有し、この装置を、フィンを保持するように構成した装置/フィンプラグ体。
【請求項６７】
請求項１〜３４のいずれか１項に記載の水上スポーツ用具フィンの前記フィンプラグのキャビティ内に受け取られる間隙充填材。
【請求項６８】
請求項１〜２４のいずれか１項に記載のフィンプラグのキャビティ内に受け取られるプラグ完全充填材。
【請求項６９】
水上スポーツ用具のフィンプラグに装着する間隙充填材であって、
このフィンプラグのフィン係合手段に係合する前面、
フィンのフロントタブに係合する後面、
外面、および
少なくとも一部が変形性を示す材質を有することを特徴とする間隙充填材。
【請求項７０】
水上スポーツ用具のフィンプラグに装着するプラグ完全充填材であって、
外面、
少なくとも一つの垂直部材、および
少なくとも一部が変形性を示す材質を有することを特徴とするプラグ完全充填材。
【請求項７１】
実質的に図３０Ａ〜図３２Ｅの一つを参照して説明したことを特徴とする間隙充填材。
【請求項７２】
実質的に図３３Ａ〜図３５Ｃの一つを参照して説明したことを特徴とするプラグ完全充填材。
【発明の詳細な説明】
【技術分野】
【０００１】
本発明はサーフボードなどの水上スポーツ用具に装着して、フィンをこの水上スポーツ用具に着脱可能に取り付けるフィンプラグに関する。
【０００２】
また、本発明は上記フィンプラグに着脱自在に取り付けられるフィンなどにも関する。
【背景技術】
【０００３】
サーフボードなどの水上スポーツ用具、特に水上をトラバースするか、あるいは波に乗るさいに使用者が立つか、ひざまずくか、あるいは座る水上スポーツ用具の場合、水上スポーツ用具のテール端部のほぼ近くにおいて水上スポーツ用具の下側に少なくとも一つのフィンを有する。このようなフィンは多数の機能を行うもので、例えば水上スポーツ用具を目的の方向に走行させる機能、水上スポーツ用具の方向変換を容易にする機能、水上スポーツ用具が横にスリップすることを防止する機能、例えば波乗り時に水上スポーツ用具の運動全体の制御を確保する機能がある。
【０００４】
以下サーフボードを中心にして説明するが、以下の説明は他のフィンを備える他の水上スポーツ用具（およびサーフクラフト）例えばセールボード、パドルボード、救助ボード、サーフスキー、カヤックなどに等しく適用可能であることはいうまでもない。
【０００５】
一部のサーフボードの場合サーフボードの下側にフィンを一体的に取り付けている。歴史的には、多くのサーフボードはこのような一体型フィンを備えている。これら一体型フィンは一般に“ガラスで囲む”ものであり、換言すればこれらがファイバー強化樹脂によってサーフボードの一部として形成されていることを意味する。このような“ガラスで囲まれた”フィンを形成することはきわめて労働集約的であり、次に行うボードのサンド掛け処理および仕上げ処理をより難しくする。
【０００６】
過去２０年程位から、着脱式フィンを始めとするフィンシステムをサーフボードに組み込むことがより常識的になってきている。これらフィンシステムには多くのメリットがあり、例えば移動時フィンを取り外すことができ、損傷したフィンの交換が容易になり、または異なる形状や異なるスタイルのフィンを選択的に使用できる。これらフィンシステムの典型例の場合、少なくとも一つのフィンプラグをサーフボードの下側に埋設し、これに少なくとも一つのサーフボードフィンを受け取る。このような各フィンプラグの場合一般的に開放キャビティを有し、ここにサーフボードフィンのベース部分（またはベース要素）を受け取る。このように構成すると、フィンの対応するベース部分（またはベース要素）をフィンプラグ（複数の場合もある）のキャビティ（複数の場合もある）に挿入することによってフィンを着脱自在にサーフボードに取り付けることができる。このような構成をもつフィンシステムは多数知られている。
【０００７】
一つの公知のよく利用されているフィンシステムはＵＳ５，４６４，３６９（Ｆｉｎ  Ｃｏｎｔｒｏｌ  Ｓｙｓｔｅｍｓ  Ｐｔｙ  Ｌｔｄ社）に記載されている。このシステムの場合、フィンを有し、各フィンが２つの突出ベース要素（またはタブ）を有し、かつフィンごとに、２つのフィンプラグをサーブボードの下側に取り付ける。フィンプラグそれぞれはベース要素の一つを受け取るキャビティをもつ。また、各フィンプラグはベース要素をフィンプラグのキャビティ内に固定するグラブネジ（ｇｒｕｂ  ｓｃｒｅｗ）を有する。
【０００８】
上記ＵＳ５，４６４，３６９のフィンシステムは人気が高く、フィンをきわめて安全にサーフボードに固定でき、同時に望む時にフィンをサーフボードから簡単に外すことができるため、広く利用されているが、上記システムの一つの欠点はフィンをフィンプラグに装着し、かつフィンをフィンプラグから取り外すさいにやや時間がかかる上に、各フィンのベース要素を望む時に固定または解除するためにはグラブネジを各キャビティにねじ込むか、抜き出す必要があるため、工具（アレンキーなど）を使用する必要がある。
【０００９】
上記と同様に機能する別なフィンプラグは、ＰＣＴ/ＡＵ/２００８/００１１３２（名義人は上記と同じＦｉｎ  Ｃｏｎｔｒｏｌ  Ｓｙｓｔｅｍｓ  Ｐｔｙ  Ｌｔｄ社）に記載されているフィンプラグ装置である。ＰＣＴ/ＡＵ/２００８/００１１３２に記載されているフィンプラグは２つの開放キャビティを有し、ここにサーフボードフィンの対応するベース要素を受け取る。これらベース要素は、（キャビティにねじ込むことができ、またキャビティから抜き出すことができる）グラブネジによって固定または解除することができる。このような各グラブネジをフィンのベース要素の側部に横方向に押しつけてこれを所定位置に固定する。
【００１０】
他のフィンシステムも公知であり、一つのフィンプラグを有し、サーフボードフィン毎に一つのキャビティを有する。このようなフィンシステムの代表例では、十分な大きさのフィンプラグを有し、細長いフィンキャビティにフィンのベース要素（複数の場合もある）を受け取る。このようなフィンシステムの場合、同様に、上記のグラブネジなどのグラブネジによって各フィンをサーフボードに固定する（即ちフィンのベース要素をフィンプラグのキャビティ内に固定する）。
【００１１】
迅速かつ容易な上に安全に、そして好ましくは工具を使用する必要なく、サーフボードフィンをサーフボードの下側に着脱自在に装着できるサーフボードフィンプラグが現在求められている。
【００１２】
本発明は、従来のフィンプラグの上記問題の少なくともいくつかを解決することに関する。具体的には、本発明はサーフボードフィンを受け取るフィンプラグであって、このフィンを容易かつ迅速にサーフボードに装着でき、またこれから取り外すことができるフィンプラグに関する。より具体的には、本発明はサーフボードフィンを受け取るフィンプラグであって、このフィンを容易かつ迅速に、そして工具を使用する必要なくサーフボードに装着でき、またこれから取り外すことができるフィンプラグに関する。
【００１３】
さらに具体的には、本発明は工具を使用する必要なく上記フィンプラグに容易かつ迅速に装着でき、またこれから取り外すことができるフィンまたはその他のアイテムに関する。
【００１４】
本明細書において、従来技術に関する文献、行為またはアイテムについて言及あるいは説明を行う場合、このような言及あるいは説明は、従来技術の文献、行為またはアイテムが優先権主張日の時点で、
ａ）従来技術常識の一部であることを、または
ｂ）本明細書が対象とする任意の問題を解決する試みに対して適切であることを認めるものではない。
【００１５】
また同様に、特に反対の指摘がない限り、公知文献に対する言及は、本出願の優先権主張日の時点で、本発明が対象とする分野の当業者にとって常識であることを認めるものではない。
【先行技術文献】
【特許文献】
【００１６】
【特許文献１】ＵＳ５，４６４，３６９
【特許文献２】ＰＣＴ/ＡＵ/２００８/００１１３２
【発明の概要】
【００１７】
本発明の第１態様の場合、水上スポーツ用具（installation in a water craft）に装着するフィンプラグであって、
水上スポーツ用具フィンのベース部分を受け取る第１開放キャビティ、および
弾性バイアス作用ロッドおよびこのバイアス作用ロッドと連動する突出部材を有し、この突出部材が、上記の第１開放キャビティに受け取られたときに上記フィンの上記ベース部分に当接し、
上記バイアス作用ロッドおよび上記突出部材が上記フィンの上記ベース部分に力を加え、上記フィンが上記の第１開放キャビティから抜け出すことを抑制するフィンプラグを提供するものである。
【００１８】
上記バイアス作用ロッドについては、第１開放キャビティに隣接して設けるのが好ましい。このバイアス作用ロッドは、全体として上記フィンのベース部分の側面に対して実質的に平行に延在する。上記バイアス作用ロッドの向きについても、水上スポーツ用具の面に対して実質的に平行なのが好ましい。
【００１９】
バイアス作用ロッドは任意の適当な材質から形成することができ、例えばチタン、鋼（例えば海洋級鋼）、ファイバーグラス、カーボンファイバーまたは（強化エンジニアリングプラスチックを始めとする）プラスチックから形成することができる。このバイアス作用ロッドについては、チタンから形成するのが特に好適である。
【００２０】
上記突出部材については、上記フィンのベース部分の側面に当接するのが好ましい。
【００２１】
本発明のフィンプラグの場合、さらに横キャビティを有し、この横キャビティ内に上記バイアス作用ロッドを設けるのが好ましい。例えば、この横キャビティは上記フィンプラグの一つの側に設けた横開口を有する。この横開口については、（少なくとも水上スポーツ用具に装着する前に）シール処理しておくのが好ましい。
【００２２】
横キャビティおよび第１開放キャビティについては、内壁によって分離するのが好ましい。この内壁が開口を形成した壁であり、上記突出部材の一部がこの内壁の開口を介して上記の第１開放キャビティ内に突出するのが好ましい。
【００２３】
別な実施態様では、突出部材を内壁に形成することができ、この突出部材がバイアス作用ロッドと連動し、上記の第１キャビティに受け取られた時に上記フィンのベース部分に当接する。
【００２４】
特に好適な実施態様では、上記フィンのベース部分の側面が傾斜面部を有し、この傾斜面部が突出部材と連動して、上記の第１開放キャビティ内に内側に働く力が上記バイアス作用ロッドの影響を受け、上記ベース部分に加わる。
【００２５】
フィンプラグは例えば前方領域と後方領域を有し、そして好ましくはこの前方領域にフィンの抜け出しを抑制する手段を有する。突出部材については、この後方領域に設けるのが好ましい。
【００２６】
上記の付加的に設けるフィンが抜け出ることを抑制する手段については、フィン係合手段を有するのが好ましい。このフィン係合手段の場合、棚（ｌｅｄｇｅ）部分を有し、これが上記フィンのフィン部分に乗り上げ、上記フィンのベース部分が第１開放キャビティ内に受け取られた時に上記フィンが動くことを抑制するのが好ましい。
【００２７】
フィンプラグが第２開放キャビティを有するのが特に好ましい。この場合、第１開放キャビティが上記フィンのベース部分の第１タブを受け取り、そして第２開放キャビティが上記フィンのベース部分の第２タブを受け取る。
【００２８】
第１開放キャビティを上記後方領域に設け、そして第２開放キャビティを上記フィンプラグの上記前方領域に設けることが好ましい。
【００２９】
ベース部分の傾斜面部を第１タブに設けるのが好ましい。
【００３０】
上記棚部分については、上記第２開放キャビティ内に設けるのが好ましい。また、この棚部分が上記第２開放キャビティの一端から延在する棚を有し、この棚と上記の第２開放キャビティのベース部分との間に凹部を形成し、この凹部にフィン部分を受け取るのが好ましい。
【００３１】
従って、水上スポーツ用具フィンのフィン部分を上記フィンのベース部分の第２タブに設けるのが好ましい。
【００３２】
特に好適な実施態様では、突出部材が上記バイアス作用ロッドの周囲に設けられたリング形状部材である。このリング形状部材が上記バイアス作用ロッドを中心にして回転するのが好ましい。このリング形状部材については、円周外面が２つの側面間に延在し、この円周外面がこれらの側面間において凸形状をもつのが好ましい。この凸形状のため、水上スポーツ用具フィンのベース部分または第１タブと係合した時にリング形状部材に加えられる荷重または力がリング形状部材全体に、より均一に分散する。
【００３３】
リング形状部材については、例えば、耐久性のある非腐食性のポリマー/プラスチック材から構成する（なお、多数の他の好適な材料も使用可能である）。リング形状部材に対してはアセタールが特に好適な材料である。アセタールは、引っ張り強度が高く、機械加工しやすく、また使用時に高い剛性を示す比較的硬いエンジニアリングプラスチックを指す一般に広く採用されている用語である。
【００３４】
フィンプラグはグラブネジを有し、このグラブネジは上記第１開放キャビティ内に延在し、上記フィンのベース部分を第１開放キャビティ内に固定するようにしてもよい。上記フィンプラグはさらに別なグラブネジを有し、このグラブネジは上記第２開放キャビティ内に延在し、上記フィンのベース部分の第２タブを第２開放キャビティ内に固定するようにしてもよい。フィンプラグに一つかそれ以上のグラブネジを設けると、既存のフィンプラグ内に受け取られる一部の既存水上スポーツ用具フィンも本発明のフィンプラグに受け取られ、かつこれによって固定することができる作用効果が得られる。
【００３５】
フィンプラグの第１開放キャビティおよび第２開放キャビティは、水上スポーツ用具フィンの下面に当接する上面をもつブリッジ部分によって分離するのが好ましい。このブリッジ部分によってフィンプラグの剛性および/または強度が強くなる。また、水上スポーツ用具フィンの下面に当接することによって、このブリッジ部分はフィンの下面が、水上スポーツ用具および/またはフィンプラグの他の面に押し付けられることを防止することができる（この押し付け作用により時間の経つうちにフィン、フィンプラグおよび/またはサーフボードに一部損傷が発生することになる）。
【００３６】
本発明のフィンプラグは、例えば、スタンドアップサーフボードなどのサーフボード内に装着することができる。
【００３７】
本発明の第２態様は、（上記した）本発明の第１態様に従ってフィンプラグの開放キャビティ内に受け取られるベース部分を有する水上スポーツ用具フィンを提供するものである。
【００３８】
水上スポーツ用具フィンのベース部分については、上記フィンプラグの突出部材に当接する側面を有するのが好ましい。上記側面については傾斜面部を有するのが好ましく、この傾斜面部が突出部材と連動して、上記の第１開放キャビティ内に内側に働く力が上記フィンプラグの上記バイアス作用ロッドの影響を受け、上記ベース部分に加わる。
【００３９】
水上スポーツ用具フィンのベース部分については、さらに、このフィンプラグの棚部分の下に位置するフィン部分を有し、このフィンのベース部分が第１開放キャビティ内に受け取られた時に上記フィンの動きを抑制することが好ましい。
【００４０】
水上スポーツ用具フィンのベース部分については、さらに、第１タブおよび第２タブを有するのが好ましく、そしてフィンプラグが第１開放キャビティおよび第２開放キャビティを有するのが好ましく、第１タブがこの第１開放キャビティに受け取られ、そして第２タブが上記第２開放キャビティに受け取られる。
【００４１】
水上スポーツ用具フィンのベース部分の上記傾斜面部は上記第１タブに設けるのが好ましい。
【００４２】
さらに、水上スポーツ用具フィンのベース部分のフィン部は上記第２タブに設けるのが好ましい。
【００４３】
水上スポーツ用具フィンは、フィンプラグのブリッジ部の上面に当接する下面を有するのが好ましい。
【００４４】
上記水上スポーツ用具フィンは、例えば、サーフボードに使用することができる。
【００４５】
本発明の第３態様は、上記のフィンプラグおよび上記のスポーツ用具フィンを備え、サーフボードに適用できるフィンプラグ/水上スポーツ用具フィンキットを提供するものである。
【００４６】
本発明の第４態様は、（上記の）本発明の第１態様のフィンプラグの開放キャビティ内に受け取られるベース部分を有する水上スポーツ用具アタッチメント装置を提供するものである。
【００４７】
水上スポーツ用具アタッチメント装置のベース部分については、上記フィンプラグの突出部材に当接する側面を有するのが好ましい。この側面が傾斜面部を有するのが好ましく、この傾斜面部が（フィンプラグの）突出部材と連動して、上記の第１開放キャビティ内に内側に働く力が上記フィンプラグのバイアス作用ロッドの影響を受け、上記ベース部分に加わる。
【００４８】
水上スポーツ用具アタッチメント装置のベース部分については、さらに、上記フィンプラグの棚部分の下に位置するノーズ部を有するのが好ましく、上記アタッチメント装置のベース部分が第１開放キャビティ内に受け取られた時に上記水上スポーツ用具アタッチメント装置の動きを抑制する。
【００４９】
水上スポーツ用具アタッチメント装置のベース部分が第１タブおよび第２タブを有するのが好ましく、またフィンプラグが第１開放キャビティおよび第２開放キャビティを有するのが好ましい。この第１タブが上記第１開放キャビティ内に受け取られ、そして第２タブが上記第２開放キャビティ内に受け取られる。
【００５０】
水上スポーツ用具アタッチメント装置のベース部分の傾斜面部については、上記第１タブに設けるのが好ましい。
【００５１】
水上スポーツ用具アタッチメント装置のベース部分のノーズ部については、さらに、上記第２タブに設けるのが好ましい。
【００５２】
特に好適な実施態様では、水上スポーツ用具アタッチメント装置がこのアタッチメント装置を支持構造体に接続する支持接続要素を有する。この支持接続要素は水上スポーツ用具アタッチメント装置を支持ロッド（例えば水平支持ロッド）に接続するフック要素を有することができる。フック要素などの支持接続要素については、アタッチメント装置の中間部によって水上スポーツ用具アタッチメント装置のベース部分から分離するのが好ましい。
【００５３】
本発明のこの態様のさらに特に好適な実施態様では、フック要素は第１タブおよび第２タブに対して直角な面内に位置する。
【００５４】
水上スポーツ用具アタッチメント装置が、フィンプラグのブリッジ部の上面に当接する下面を有するのが好ましい。
【００５５】
上記の水上スポーツ用具アタッチメント装置は、例えば、サーフボードに適用することができる。
【００５６】
本発明の第４態様の上記の好適な実施態様の場合、フック要素を有する水上スポーツ用具アタッチメント装置をサーフボード（または他の水上スポーツ用具）に装着でき、従ってこのサーフボード（または他の水上スポーツ用具）を支持ロッド（例えば水平支持ロッド）から吊り下げることが可能になる。上記の好適な実施態様では、フック要素が第１タブおよび第２タブに対して直角な面内に位置するため、多数のサーフボードをサンドイッチ形態で支持ロッドから吊り下げることができ、これによってより多くのサーフボードを支持ロッドに保管することができる。
【００５７】
以上の説明から理解できるように、（そして以下に詳しく説明し、かつ添付図面に図示するように）、上記の水上スポーツ用具フィンまたは他の水上スポーツ用具アタッチメント装置は、上記のようにフィンプラグに容易に装着できる。
【００５８】
水上スポーツ用具フィンの場合、フィンのベース部分をフィンプラグの第１開放キャビティ内に挿入することによってこの装着操作を行う。具体的には、フィンの前方部分（例えばフィン部）をフィンプラグのフィン係合手段に係合してから、フィンの後方部分を回転させて、フィンプラグの方にダウンさせる。このため、フィンのベース部分が対応する開放キャビティに延在し、このベース部分が上記キャビティに突出する突出部材に当接する。
【００５９】
（上記の）フック要素などの他の水上スポーツ用具アタッチメント装置の場合、このアタッチメント装置のベース部分をフィンプラグの第１開放キャビティ内に挿入することによってこの装着操作を行う。具体的には、アタッチメント装置の前方部分（例えば水上スポーツ用具アタッチメント装置のベース部分のノーズ部）をフィンプラグのフィン係合手段に係合してから、アタッチメント装置の後方部分を回転させて、フィンプラグの方にダウンさせる。このため、アタッチメント装置のベース部分が対応する開放キャビティに延在し、このベース部分が上記キャビティに突出する突出部材に当接する。
【００６０】
また、本発明は水上スポーツ用具の第１フィン部分を保持する装置であって、キャビティ壁を有する第１キャビティ、およびこのキャビティ壁の細長い側面に少なくとも部分的に沿って設けられ、延在部分を有する細長い弾性部材を有し、この延在部分が上記弾性部材から上記キャビティ壁の細長い側部の凹部を通って延在し、第１フィン部分が第１キャビティに挿入できる形状を取るため、細長い弾性部材および延在部分の一方が、あるいは両方が第１フィン部分に力を加えて、第１フィン部分を第１キャビティ内に保持する装置を提供するものである。
【００６１】
上記の細長い弾性部材としては弾性ロッドを使用でき、上記延在部分が球根状部分であり、この球根状部分が第１フィン部分に係合できる形状になっている。
【００６２】
上記の球根状部分は細長いロッドの周りに形成される車輪状部材の一部を構成でき、この車輪状部材は、フィン部分/第１フィン部分の装着時、あるいは取り外し時第１フィン部分に係合するさいにロッドを中心にして回転できる形状を取り、フィン部分/第１フィン部分が一旦装着されると、第１フィン部分を第１キャビティ内に保持する。
【００６３】
第１フィン部分は側部フィン面において溝付き部分（または傾斜部分）を有し、この溝付き部分（または傾斜部分）は延在部分に係合する形状を取る。
【００６４】
上記の車輪状部材の表面は、溝付き部分内に（または傾斜部分に対して）着座する形状を取る。
【００６５】
本発明装置は第２キャビティを備えることができ、この第２キャビティは突出部を有し、この突出部が第２フィン部分の対応する凹部によって受け取られ、第２フィン部分を第２キャビティ内に保持する。
【００６６】
突出部および凹部のいずれか一方または両方、および延在部分および第１フィン部分がスナップロックする。
【００６７】
第１キャビティおよび第２キャビティが一つの細長いキャビティを構成する。
【００６８】
第１キャビティおよび第２キャビティによって、装置内に２つの異なるキャビティが形成する。
【００６９】
第１フィン部分および第２フィン部分がそれぞれ第１タブおよび第２タブになり、これら第１タブおよび第２タブがフィンのベース部分から突出する。
【００７０】
本発明装置は、実質的に数字の８の形になるように形成できる。
【００７１】
第１キャビティは数字の８の第１端部内に形成でき、また第２キャビティは数字の８の第２端部内に形成できる。
【００７２】
本発明装置は水上スポーツ用具に一体化できる。あるいは独立製品としてもよく、水上スポーツ用具製造時にこの内部に装着できる。
【００７３】
従って、本発明装置は別体装置として水上スポーツ用具に挿入できる。
【００７４】
本発明は装置/フィン体でもある。この装置は本明細書において説明する装置またはフィンプラグであり、フィンを保持するように構成する。
【００７５】
本発明は、本明細書で説明する水上スポーツ用具フィンを備えたフィンプラグのキャビティ内に受け取られる間隙充填材を提供するものである。
【００７６】
本発明は、本明細書で説明するフィンプラグのキャビティ内に受け取られるプラグ完全充填材を提供するものである。
【００７７】
本発明は、水上スポーツ用具のフィンプラグに装着する間隙充填材であって、フィンプラグのフィン係合手段に係合する前面（front surface profile adapted）、フィンのフロントタブに係合する後面、外面および少なくとも一部が変形性を示す材質を有する間隙充填材を提供するものである。
【００７８】
本発明は、水上スポーツ用具のフィンプラグに装着するプラグ完全充填材であって、外面、少なくとも一つの垂直部材および少なくとも一部が変形性を示す材質を有するプラグ完全充填材を提供するものである。
【００７９】
本発明は、実質的に図３０Ａ〜図３２Ｅの任意の一つの図面を参照して説明した間隙充填材を提供するものである。
【００８０】
本発明は、実質的に図３３Ａ〜図３５Ｃの任意の一つの図面を参照して説明したプラグ完全充填材を提供するものである。
【００８１】
なお、本明細書に記載する特徴は本発明装置にそれぞれ独立して、あるいは異なる組み合わせで利用することができる。
【００８２】
以下、本発明の第１態様に従って構成した装置/フィンプラグを好適な実施態様について添付図面を参照して説明する。
【図面の簡単な説明】
【００８３】
【図１Ａ−１Ｂ】は、フィン/フィンプラグ体の一例を示す斜視図（展開図）である。図１Ｂでは接線エッジを点線で示す。
【図２Ａ】中心フィン/フィンプラグ体を示す側横断面図である。
【図２Ｂ】図２Ａに示すフィン/フィンプラグ体を示す斜視図である。
【図２Ｃ】図２Ａに示すフィン/フィンプラグ体を示す横断正面図である。
【図２Ｄ】図２Ａに示すフィン/フィンプラグ体を示す側面図である。
【図２Ｅ】図２Ａに示すフィン/フィンプラグ体を示す正面図である。
【図２Ｆ】図２Ａに示すフィン/フィンプラグ体を示す背面図である。
【図２Ｇ】図２Ａに示すフィン/フィンプラグ体を示す下面斜視図である。
【図２Ｈ】図２Ａに示すフィン/フィンプラグ体の上面図である。
【図２Ｉ】図２Ａに示すフィン/フィンプラグ体の底面図である。
【図３Ａ】フィンを本発明装置に挿入した状態にある、図２Ａのフィン/フィンプラグ体を示す側横断面図である。
【図３Ｂ】図３Ａに示すフィン/フィンプラグ体を示す上面斜視図である。
【図３Ｃ】図３Ａに示すフィン/フィンプラグ体を示す正面横断面図である。
【図４Ａ】フィン/フィンプラグ体の一実施例の右側を示す側横断面図である。
【図４Ｂ】図４Ａに示すフィン/フィンプラグ体を示す背面図である。
【図４Ｃ】図４ＢのＣ−Ｃ線にそって断面化した図４Ｂのフィン/フィンプラグ体を示す正面横断面図である。
【図４Ｄ】図４Ａに示すフィン/フィンプラグ体を示す側面図である。
【図４Ｅ】図４Ａに示すフィン/フィンプラグ体を示す底面斜視図である。
【図４Ｆ】フィンが本発明装置によって受け取られた状態にある、図４Ａのフィン/フィンプラグ体を示す横断側面図である。
【図４Ｇ】図４Ｆのフィン/フィンプラグ体を示す上面斜視図である。
【図５Ａ】フィン/フィンプラグ体の一実施例の左側を示す側横断面図である。
【図５Ｂ】図５Ａに示すフィン/フィンプラグ体の背面図である。
【図５Ｃ】図５Ａのフィン/フィンプラグ体を示す横断正面図である。
【図５Ｄ】図５Ａのフィン/フィンプラグ体を示す側面図である。
【図５Ｅ】図５Ａのフィン/フィンプラグ体を示す底面斜視図である。
【図５Ｆ】フィンが本発明装置によって受け取られた状態にある、図５Ａのフィン/フィンプラグ体を示す横断側面図である。
【図５Ｇ】図５Ｆのフィン/フィンプラグ体を示す上面斜視図である。
【図６Ａ】本発明装置即ちフィンプラグの一実施例を示す上面斜視図である。
【図６Ｂ】図６Ａの装置即ちフィンプラグを示す別な上面斜視図である。
【図６Ｃ】図６Ａの装置即ちフィンプラグを示す下面斜視図である。
【図６Ｄ】図６Ａの装置即ちフィンプラグを示す別な下面斜視図である。
【図６Ｅ】図６Ａの装置即ちフィンプラグを示す上面正面図である。
【図６Ｆ】図６Ａの装置即ちフィンプラグを示す下面正面図である。
【図６Ｇ】図６Ａの装置即ちフィンプラグを示す側面図である。
【図６Ｈ】図６Ａの装置即ちフィンプラグを示す別な側面図である。
【図６Ｉ】図６Ａの装置即ちフィンプラグを示す後端部正面図である。
【図６Ｊ】図６Ａの装置即ちフィンプラグを示す前端部正面図である。
【図６Ｋ】Ａ−Ａ線に沿って断面化した図６Ｈの装置即ちフィンプラグを示す横断面図である。
【図６Ｌ】Ｂ−Ｂ線に沿って断面化した図６Ｉの装置即ちフィンプラグを示す横断面図である。
【図６Ｍ】Ｃ−Ｃ線に沿って断面化した図６Ｊの装置即ちフィンプラグを示す横断面図である。
【図６Ｎ】横キャビティに対してキャップ６０のない状態の、図６Ａの装置即ちフィンプラグを示す上面斜視図である。
【図６Ｏ】図６Ａの装置即ちフィンプラグを示す展開図である。
【図６Ｐ】図６Ａの装置即ちフィンプラグを示す別な展開図である。
【図７Ａ】右側装置即ちフィンプラグの一実施例を示す上面斜視図である。
【図７Ｂ】図７Ａの装置即ちフィンプラグを示す正面横断面図である。
【図７Ｃ】図７Ａの装置即ちフィンプラグを示す上面横断面図である。
【図７Ｄ】図７Ａの装置即ちフィンプラグを示す側面横断面図である。
【図８Ａ】左側装置即ちフィンプラグの一実施例を示す上面斜視図である。
【図８Ｂ】図８Ａの装置即ちフィンプラグを示す正面横断面図である。
【図８Ｃ】図８Ａの装置即ちフィンプラグを示す上面横断面図である。
【図８Ｄ】図８Ａの装置即ちフィンプラグを示す側面横断面図である。
【図９Ａ】本発明装置即ちフィンプラグに使用できるフィンの一実施例を示す側面図である。
【図９Ｂ】図９Ａのフィンを示す上面斜視図である。
【図９Ｃ】図９Ａのフィンを示す底面斜視図である。
【図９Ｄ】図９Ａのフィンを示す正面図である。
【図９Ｅ】図９Ａのフィンを示す背面図である。
【図９Ｆ】図９Ａのフィンを示す横断面図である。
【図９Ｇ】図９Ａのフィンを示す上面図である。
【図９Ｈ】図９Ａのフィンを示す底面図である。
【図１０Ａ】本発明装置即ちフィンプラグに使用できるライトフィン（right-side fin）の一実施例を示す側面図である。
【図１０Ｂ】図１０Ａのフィンを示す横断面図である。
【図１０Ｃ】図１０Ａのフィンを示す背面図である。
【図１０Ｄ】図１０Ａのフィンを示す上面斜視図である。
【図１１Ａ】本発明装置即ちフィンプラグに使用できるレフトフィン（left-side fin）の一実施例を示す側面図である。
【図１１Ｂ】図１１Ａのフィンを示す横断面図である。
【図１１Ｃ】図１１Ａのフィンを示す背面図である。
【図１１Ｄ】図１１Ａのフィンを示す上面斜視図である。
【図１２Ａ−２７Ｂ】本発明の装置/フィンプラグの第２キャビティ内に第２フィン部分を固定する固定/係合手段の実施例を示す図である。
【図２８Ａ−２８Ｃ】本発明の装置/フィンプラグに使用するアダプターの実施例を示す図である。
【図２９Ａ−２９Ｈ】本発明の第４態様の好適な実施態様に従ってフック要素を有する水上スポーツ用具アタッチメント装置の後部（２９Ａ）、左側（２９Ｂ）、前部（２９Ｃ）、右側（２９Ｄ）、等角前部（２９Ｅ）、等角後部（２９Ｆ）、上部（２９Ｇ）および底部（２９Ｈ）をそれぞれ示す図である。
【図３０Ａ−３１Ｉ】本発明の第５態様における図１Ａのフィンプラグの間隙充填材（の後部、側部、前部、上部、底面および対応する部分の斜視図を含む）を示す図である。
【図３２Ａ−３２Ｅ】図３０Ａ〜図３０Ｉの間隙充填材をどのようにフィンプラグに充填するかを説明する図である。
【図３３Ａ−３４Ｉ】本発明の第５態様における図１Ａのフィンプラグのプラグ完全充填材（の後部、側部、前部、上部、底面および対応する部分の斜視図を含む）を示す図である。
【図３５Ａ−３５Ｃ】図３３Ａ〜図３４Ｉのプラグ完全充填材をフィンプラグにどのように充填するかを説明する図である。
【発明を実施するための形態】
【００８４】
本発明の装置即ちフィンプラグ１０の一実施例を図１Ａおよび図１Ｂに示す。
【００８５】
この具体的な実施例では、装置１０はサーフボードなど（図示省略）の水上スポーツ用具の第１フィン部分１５を保持するために使用する。この装置１０については、水上スポーツ用具と一体化するか、あるいは水上スポーツ用具に挿入できるように形成する。
【００８６】
図１Ａおよび図１Ｂに示すように、装置１０にはキャビティ壁２５（およびさらに後記するもの）を有する第１キャビティ２０を形成できる。また、装置１０は細長い弾性部材３０を有する。この部材３０はキャビティ壁２５の細長い側部に沿って少なくとも部分的に設けることができる。図１に示すように、細長い弾性部材３０には延在部分３５を形成でき、この延在部分３５は弾性部材３０からキャビティ壁２５の細長い側部の凹部４０または開口内に延在する。
【００８７】
従って、第１フィン部分１５を第１キャビティ２０に挿入すると、細長い弾性部材３０および延在部分３５の一方または両方によって第１フィン部分１５に力が作用し、第１フィン部分１５を第１キャビティ２０内に保持できる。
【００８８】
このように、一つの具体的な実施例では、細長い弾性部材３０としては弾性ロッドまたはピンを使用することができ、延在部分３５に球根状部分（bulbous portion）４５を形成できる。この球根状部分４５については、第１フィン部分１５に係合する形状に構成する。さらに別な実施例では、この球根状部分４５によって細長いロッド３０の周囲に形成した車輪状部材（wheel-like member）の一部を構成してもよい。この車輪状部材３５については、第１フィン部分１５への係合時にロッド３０の周りで回転し、第１フィン部分１５を第１キャビティ２０内に保持するように構成する。
【００８９】
図１Ａおよび図１Ｂに示すように、例えば、ロッド３０はピンなどで構成することができ、このピンはバネとして作用し、従って車輪状部材３５がバレルとして作用するため、フィン５０を所定位置に保持することができる。従って、装置１０については、フィンおよびピンを所定位置に保持できるボックスとして構成できる。また図１に示すように、ロッド３０をいったん装置１０に挿入した後は、挿入部をエンドプラグ５５などによってシール処理できる。このプラグ５５があるため、ロッド３０が装置１０から外れることはない。
【００９０】
さらに、図１Ａおよび図１Ｂに示すように、装置１０には一つかそれ以上のキャップ５５、５７、６０を設けることができ、延在部分３５を装置１０にシール処理できる。一つの具体的な実施例では、エンドキャップ５５は例えば水密機能をもち、ロッド３０および延在部分３５の両者を装置内に保持できる。サイドキャップ５７は適宜設けるもので、サイドキャップ５７をシールする開口を使用しなくてもロッド３０および延在部分３５を装着できる。
【００９１】
さらに別な実施例では、第１フィン部分１５には、サイドフィン面７０に溝付き部分６５を設けることも可能である。この溝付き部分６５は、延在部分３５に係合するように構成する。従って、一つの実施例では、例えば湾曲面である、車輪状部材３５の表面が溝付き部分６５に着座するように構成することができる。
【００９２】
なお、溝付き部分６５については、延在部分３５の湾曲面に実質的に一致するか、整合するように形成または構成できるが、厳密な一致や整合は必ずしも必要ない。これら実施例では、溝付き部分６５については、延在部分３５を転動し、この延在部分３５が第１フィン部分１５を第１キャビティ２０内にロックできるように構成する。また、ロック作用が発生し、第１フィン部分１５がキャビティに押し込まれると、ロッド３０が湾曲し、上記力を延在部分３５に加えるさいにもわずかに湾曲状態を維持するため、所定の力が溝付き部分６５に作用し、第１フィン部分１５を第１キャビティ２０内に維持することが可能になる。一つの具体的な実施例では、横向きの力あるいは下向きの力のいずれかを、あるいは両者を加えて、第１フィン部分１５を装置１０内に維持できる。
【００９３】
一つの具体的な実施例では、フィン５０を装置１０内に挿入すると、第２フィン部分９０が最初に挿入され、第２フィン部分９０の凹部８５が（第２キャビティ７５内の）装置１０の凸部８０に係合する。第２フィン部分９０が一旦所定位置に設定された後は、フィン５０を押し下げることによって第１フィン部分１５が第１キャビティ２０内にロックされるため、溝６５が、少なくとも一部が第１キャビティ２０内に延在する延在部分３５に係合する。
【００９４】
このように、さらに別な実施例は、図１Ａおよび図１Ｂに示すように、（図示を省略した）水上スポーツ用具に装着するフィンプラグ１０を提供するものである。このフィンプラグ１０は水上スポーツ用具フィン５０のベース部分１８を受け取る第１開放キャビティ２０、弾性バイアス作用ロッド３０、およびこのバイアス作用ロッド３０と連動する突出部材（本明細書では延在部分とも呼ぶ）３５を有する。この突出部分３５については、上記第１開放キャビティ２０内に受け取られたさいに上記フィン５０のベース部分１８に当接するように構成する。従って、これらのバイアス作用ロッド３０と突出部材３５とが所定の力を上記フィン５０のベース部分１８に加えるため、上記フィン５０が上記第１開放キャビティ２０から抜け出ることがなくなる。
【００９５】
図１Ａおよび図１Ｂに示すように、バイアス作用ロッド３０は、フィンプラグ１０内に挿入されると、第１開放キャビティ２０に隣接する。一つの具体的な実施例では、バイアス作用ロッド３０がフィン５０のベース部分１８の側面１６に対して実質的に平行に延在するため、突出部材３５がこの側面１６に当接できる。
【００９６】
さらに、フィンプラグ１０には横キャビティ２２を設けることができ、この横キャビティ２２内にバイアス作用ロッド３０を設ける。このように構成すると、横キャビティ２２と第１開放キャビティ２０が開口付き壁（キャビティ壁とも呼ぶ）によって分離し、突出部材３５の一部が上記壁２５の開口（または凹部）４０を介して第１開放キャビティ２０内に突出する。
【００９７】
上記側面１６には傾斜面部（溝付き部分とも呼ぶ）６５を形成できる。この傾斜面部６５が突出部材３５と連動し、第１開放キャビティ２０内に内側に働く所定力が、バイアス作用ロッド３０の影響を受けてベース部分１８に加わる。
【００９８】
一つの具体的な実施例では、フィンプラグ１０には前方領域１２および後方領域１４を形成できる。例えば、この後方領域１４内に突出部材３５を設ける。
【００９９】
フィンプラグ１０には、その前方領域１２内にさらにフィンの抜け出しを抑制する抑制手段を形成できる。この抑制手段はフィン係合手段を備え、この係合手段は棚（レッジ−ｌｅｄｇｅ）部分（凸部とも呼ぶ）８０を有し、フィン部（凹部とも呼ぶ）８５に乗り上げ、ベース部分１８が第１開放キャビティ２０内に受け取られたときにフィン５０の動きを抑制する。
【０１００】
本明細書に記載するように、第１フィンプラグ１０には第２開放キャビティ７５を形成できる。従って、第１開放キャビティ２０がフィン５０のベース部分１８の第１タブを受け取ることができ、そして第２開放キャビティ７５がフィン５０のベース部分１８の第２タブを受け取ることができる。この具体的な実施例では、第１開放キャビティ２０を後方領域１４内に設け、そして第２開放キャビティを前方領域１２内に設ける。そしてさらに、上記フィンのベース部分の傾斜面部６５を第１タブに設ける。さらに、棚部分８０を上記第２開放キャビティ内に設けるとともに、フィン部をフィン５０のベース部分の第２タブに設けることができる。
【０１０１】
図１２Ａ〜図１２Ｈに示すように、棚部分は上記第２開放キャビティの一端から延在する棚を有し、この棚と上記第２開放キャビティのベース面とがその間に凹部を形成し、この凹部にフィン部を受け取る。
【０１０２】
本明細書に記載するように、延在部分/突出部分３５は、バイアス作用ロッド３０の周囲に設けられる車輪状部材またはリング状部材である。一つの具体的な実施例では、このリング状部材は上記バイアス作用ロッド３０を中心にして回転できる。さらに別な実施例では、リング状部材は必ずしも円筒形でなくてもよく、円周外面が２つの側面間に延在するものでもよい。この円周外面はこれら側面間において凸形状をもつ。
【０１０３】
さらに別な実施例では、具体的に図２Ａ、図３Ａ、図４Ａ、図４Ｆ、図５Ａ、図５Ｆに示すように、装置１０には第２キャビティ７５を形成することも可能である。第２キャビティ７５には凸部８０を形成でき、この凸部８０については第２フィン部分９０の凹部８５に挿入でき、かつこれに係合するように構成し、この構成によって第２フィン部分９０を第２キャビティ７５内に保持できる。
【０１０４】
このように、例えば、凸部８０および凹部８５、そして延在部分３５および第１フィン部分１５の一方または両方をスナップロックでき、強固に装置１０内にフィン５０を保持できる。
【０１０５】
特に、当業者ならば理解できるように、第２フィン部分９０は多数の異なる機械的要素/固定手段によって第２キャビティ７５内に保持できる。第２フィン部分９０を第２キャビティ７５に固定/保持する実施例について以下説明する。
【０１０６】
図示の実施例では、第１キャビティ１５および第２キャビティ７５は装置１０内において２つの異なるキャビティではあるが、場合によっては、一つの細長いキャビティ（図示省略）の一部を構成してもよい。２つの異なるキャビティを維持することによってある種の作用効果を実現することができる。即ち、２つのキャビティ間のブリッジ９５によって、第１キャビティ２０および第２キャビティ７５の第１フィン部分１５および第２フィン部分９０をより強固に保持できる。さらに、このブリッジには、水上スポーツ用具フィンの下面に当接する上面をもつブリッジ部を形成できる。
【０１０７】
なお、当業者ならばサーフボードなどの多くの水上スポーツ用具には一つかそれ以上のフィンを形成できることを理解できるはずである。一つの具体的な実施例では、サーフボードにはセンターフィンおよび２つのサイドフィン（サーフボードのテールが最も低い位置にあるサーフボードの下側からみてレフトフィンおよびライトフィンと呼ぶ）を形成できる。従って、本明細書に記載する特徴は任意のフィンに適用可能であるが、水上スポーツ用具には、フィンの位置（センターフィン、ライトフィンまたはレフトフィン）の位置に応じて多少の変更を施すことが可能である。
【０１０８】
変更実施例については、図２Ｃ、図４Ｃおよび図５Ｃを比較すると理解できるはずである。これら変更実施例に関して、図２Ａ〜図３Ｃはセンターフィン５０の例を示し、この例では図２Ｃに示すように、フィン５０は装置１０に対して実質的に垂直である。この例とは対照的に、図４Ｃおよび図５Ｃのフィン５０は装置１０の垂直面に対して所定の角度で傾斜している。図４Ｃはライトフィンの一例で、図５Ｃはレフトフィンの一例である。本明細書に記載のフィンは垂直面に対して任意の角度で挿入できるようになっているが、一つの具体的な例では、この角度は垂直面から７〜９度である。
【０１０９】
従って、装置１０は異なる挿入角度に対処できるようになっている。図４Ｃおよび図５Ｃに示すように、第１キャビティ１５にはキャビティ壁２５（延在部材３５が突出するキャビティ壁である）に対向する傾斜対向壁２８を形成できる。
【０１１０】
さらに別な実施例に関して説明すると、図６Ａ〜図６Ｐは装置１０を例えばセンターフィンに使用する装置またはフィンプラグ１０を示す図である。当業者ならば、図６Ｍに示すように、延在部材３５がフィン５０の対応する溝付き部分６５に容易に係合できる位置においてキャビティ壁２５を介して突出することを理解できるはずである。このように、延在部材３５については、キャビティ壁２５の中心においてこれを貫通する必要は必ずしもなく、この具体的な実施例のように、中心からずれていてもよい。
【０１１１】
さらに、装置１０は図示のように、フィン５０を装置１０に固定するグラブネジやその他の好適な固定手段の固定点９８を有する。なお、グラブネジやその他の好適な固定手段を使用すると、異なるタイプのフィンを装置１０に固定できる。即ち、この具体的な実施例の場合、グラブネジは第１キャビティ２０に延在し、フィン５０のベース部分を第１キャビティ２０内に固定できるようになっている。同様なグラブネジを第２キャビティ７５に使用でき、同様にこのグラブネジは第２キャビティ７５に延在し、フィン５０のタブ、ベース部分などを第２キャビティ７５にさらに固定できる。
【０１１２】
図７Ａ〜図７Ｄは、ライトフィンに使用する装置１０の実施例である。さらに、図８Ａ〜図８Ｄは、レフトフィンに使用する装置１０の実施例である。なおこれら図で特に注意すべき点は、（レフトフィンおよびライトフィンなどの）サイドフィンに使用する装置については、これらが相互に鏡像になるように形成する点である。さらに、図７Ｂおよび図８Ｂに示すように、対向壁２８に角度をつけているため、それぞれフィンを所定の角度で挿入できる。
【０１１３】
本明細書に示す実施例では、装置１０は実質的に数字の８の形状になっているため、装置の少なくとも一つの断面形状が実質的に数字の８の形状になっている。これら実施例では、第１キャビティ１５は８の字の第１端部１２内に設けるか形成し、そして第２キャビティ７５は８の字の第２端部１４内に形成する。
【０１１４】
なお当業者ならば、装置１０の８の字の形状によって装置１０が水上スポーツ用具の一部を構成し、さらにフィン部分がこれの内部にロックできる作用効果が得られることを理解できるはずである。８の字の形状のエッジが平滑であるため、製作が容易である作用効果も得られる。なお、装置はこの形状に制限されるものではなく、キャビティ機能をもつ他の形状も利用可能である。
【０１１５】
図９Ａ〜図９Ｈは、センター装置１０に使用するセンターフィン５０の実施例を示す図である。図１０Ａ〜図１０Ｄはライトフィン５０の実施例を示し、そして図１１Ａ〜図１１Ｄはレフトフィン５０の実施例を示す。特にこれら左右のフィンについては、相互の鏡像として形成することができる。
【０１１６】
特にフィン５０については、第１フィン部分１５および第２フィン部分９０にそれぞれ第１タブおよび第２タブを形成できるが、フィン５０の任意のベース部分は第１キャビティ２０および第２キャビティ７５に挿入できるように構成することができる。
【０１１７】
第２フィン部分９０および第２キャビティ７５の固定手段のさらに別な実施例を図１２Ａ〜図２７Ｂに示す。これら実施例については、以下のように変更することができる。
【０１１８】
図１２Ａに第２フィン部分９０を示す。この第２フィン部分９０は凸エッジ１２１０を有し、この凸エッジは第２キャビティ７５の対応する凹部分１２１２に係合する。
【０１１９】
図１２Ｂに凹エッジ１２１４を有する第２フィン部分９０を示す。この凹エッジが第２キャビティ７５の対応する凹部分１２１６に係合する。
【０１２０】
図１２Ｃに第２フィン部分９０上の異なる凹エッジ１２１８を示す。この凹エッジが第２キャビティ７５の突出凸部分１２２０と係合する。
【０１２１】
図１２Ｄに図１２Ａの変形例を示す。この例では、第２フィン部分９０が傾斜凸エッジ１２２２を有し、第２キャビティの形状１２２４と対応する。
【０１２２】
図１２Ｅに第２フィン部分９０のトップエッジ全体を示す。このエッジは破断部１２２６を有し、第２キャビティ７５の対応する凸エッジ１２２８に係合する。
【０１２３】
図１２Ｆにフィンタブノーズ１２３２の側部における溝１２３０または同様な切り込みを示す。この溝は第２キャビティ７５の両側のピン１２３４に対応する。
【０１２４】
図１２Ｇに一本のピン１２３６を示す。このピンは第２フィン部分９０に挿入され、第２キャビティ７５内にフィン部分９０を保持する。
【０１２５】
図１２Ｈに第２フィン部分９０の円形ボトムエッジ１２３８を示す。このエッジは突出し、第２キャビティ７５の対応する凸部分１２４０に係合する。
【０１２６】
図１３Ａ〜図１３Ｃに第２フィン部分９０を第２キャビティ７５にどのように挿入するかを示す。これらの場合、第２フィン部分９０はバネ荷重式アンダーカット１３１０を有する。これらの実施例では、第２フィン部分９０が第２キャビティ７５に挿入されると（図１３Ｂに示す）、アンダーカット１３１０が後退し、次にフィン部分９０が所定位置にくると（図１３Ｃに示す）、第２キャビティ７５の対応する凹部１３１２にバネの作用によって係合する。
【０１２７】
図１４Ａ〜図１４Ｃに第２フィン部分９０の２本のピン１４１０を第２フィンキャビティ７５にどのように挿入するかを示す。この場合、２本のピンが第２キャビティ７５の凸部分を取り囲む。これらピンはフィンタブノーズの下部をカットすることによっても形成することができる。
【０１２８】
図１５Ａ〜図１５Ｃに、第２フィン部分９０に挿入された可撓部分１５１０即ち変形性部材１５１０のさらに別な実施例を示す。この実施例の場合、上記の挿入の結果アンダーカットが形成し、このアンダーカットが変形によって第２キャビティ７５の対応する形状１５１２に係合する。
【０１２９】
図１６Ａ〜図１８Ｃにおいて、第２キャビティ７５に係合しているフロントタブ９０はこのフロントタブを固定するためにアンダーカットの形状変化を利用するだけでなく、フィンのフィンプラグへの着脱角度を設定する二次的な機能を有するものである。この二次的な機能があるため、図１６Ａ〜図１８Ｃに示すように構成した場合に、フィンがサーフィン時にフィンプラグから意図せずに抜け出ることがさらに難しくなる。
【０１３０】
図１６Ａ〜図１６Ｃに、楕円形ピン１６１０の使用によって第２フィン部分９０を第２キャビティ７５にどのように挿入するかを示す実施例を示す。楕円形ピン１６１０を備えたフィンプラグ第２キャビティ７５の場合、図１６Ａ〜図１６Ｃに例示するように、フロントフィンタブ９０に対応した楕円形状の凹部が意図した解除方向に整合している時にのみフロントフィンタブ９０が解除する。
【０１３１】
図１７Ａ〜図１７Ｄに、タブ９０のピン１７１０およびトラック１７１２機構を使用して第２キャビティ７５に第２フィン部分９０をどのように挿入するかを示す実施例を示す。このトラック１７１２は第２キャビティ７５の側壁に装着できる。
【０１３２】
図１８Ａ〜図１８Ｃに、第２フィン部分９０の凹部１８１０と第２キャビティ７５の凸部１８１２との別な係合例を示す。
【０１３３】
図１９は、第２キャビティ７５の側壁の両側から突出する２本の浅い静止ピン１９１０を使用する例を示す。これら２本のピン１９１０は、図１９に示すように、第２フィン部分９０のそれぞれの浅い溝１９２０に係合する。
【０１３４】
図２０に、リアフィンタブ１５がバレル３５と係合しない形状またはカットアウトを有する実施例を示す。この実施例では、フロントタブカットアウト２０１０も突出部２０１２の係合しない構成になっている。図２０のフィンは、フィンプラグの固定点９８においてグラブネジなどの固定手段を使用することによってフィンプラグに固定することができる。
【０１３５】
図２１、図２３および図２４に、第２フィン部分９０の各種形状のカットアウト２１１０の実施例を示す。このカットアウトが第２キャビティ７５の対応する形状の突出部２１１２に係合する。
【０１３６】
図２２に、第２フィン部分９０の基線の延在部２２１０を示す。この延在部が第２キャビティ７５の対応するカットアウト２２１２に挿入されることになる。
【０１３７】
図２５Ａ〜図２５Ｃは、フィンタブ１５、９０をそれぞれのキャビティ２０、７５内に下げてから、フィンを前方に押し出してリアフィンタブ１５をバレル３５に係合できるようにしたリアフィンタブ１５の構成を示す図である。図２５Ａ〜図２５Ｃのリアタブの構成については、この別な実施態様におけるバレル３５との係合を容易にできるように変更することが可能である（図示は省略）。
【０１３８】
図２６Ａおよび図２６Ｂは、フィンにリアフィンタブがない場合のフィンのフィンプラグへの固定例を示す図である。この場合、フロントフィンタブ９０は図示のように凸部２５１２および対応する凹部２５１０により第２キャビティ７５に係合することが可能であり、あるいはこの係合については本明細書に記載した係合方法によっても可能である。さらに、図２６Ａおよび図２６Ｂのフィンの場合、フィンプラグの固定点９８においてグラブネジなどの固定手段を使用することによって、フィンプラグ内に固定することも可能である。
【０１３９】
図２７Ａおよび図２７Ｂは、リアフィンタブ１５がバレル３５に係合しない形状をもつ、換言すればカットアウトをもつ図２０のさらに別な例を示す図である。フロントフィンタブ９０は、第２キャビティ７５の対応する突出部２５１２と係合する第２フィン部分９０において異なる形状のカットアウト２５１０を介して第２キャビティ７５に係合することができる。さらに、図２７Ａおよび図２７Ｂのフィンは、フィンプラグの固定点９８においてグラブネジなどの固定手段を使用することによってフィンプラグ内に固定することができる。
【０１４０】
なお、本明細書で説明する係合手段の場合、例えば第２タブ部分を第２キャビティ内に保持するために使用する係合手段の場合、任意の形状で構成でき、また磁石などの任意の装着手段、あるいは（第１キャビティのロッド部材または車輪状部材などの）第２のバイアス作用手段を利用することも可能である。
【０１４１】
さらに別な実施例では、本発明の装置/フィンプラグはアダプター式のフィンを受け取るように構成できる。例えば、アダプター式フィンのフィン部分またはベース部分は別体の要素として構成し、この要素をフィンにアダプターとして挿入すると、本明細書において説明するように装置/フィンプラグに挿入することが可能になる。このようなアダプターの例を図２８Ａ〜図２８Ｃに示す。図２８Ａ１および図２８Ａ２において、第１アダプター２８１０はタブのないフィンの底部にねじ込むことができる。あるいは図２８Ｂ１および図２８Ｂ２に示すように、第１アダプターピース２８１０をタブが２枚のフィンのタブの側部にねじ込むことができる。従って、いずれの例でも、本発明の新規なタブ構成の形状を利用することができる。さらに別な実施例では、図２８Ｃ１および図２８Ｃ２に示すように、既存のタブが２枚のフィンのタブの側部に２つの孔を穿孔できる。この場合、２本のピン（またはプラグ）２８１２、２８１４を所定箇所にねじ込むか、プレス嵌めすると、第２および第３のアダプターピースが形成する。この結果、２本のピンがタブの側部から突出することになる（フロントピン２８１４がボックスのフロントスロットのフロントアンダーカット部の下に位置し、そしてリアピン２８１２がバレルと相互作用して、下向きかつ横向きの力を作用させる）。
【０１４２】
本発明の第１態様のフィンプラグの場合、主に（例えばサーフボードフィンなどの）水上スポーツ用具フィンを（工具を使用せずに）簡単かつ容易にフィンプラグに装着でき、かつこれを取り外すことができるようにするものであるが、本発明はこのような使用方法に制限されない。例えば、他の水上スポーツ用具アタッチメント装置についても、上記フィンの装着方法および取り外し方法と実質的に同様に、対応するフィンプラグに装着でき、また取り外すことが可能である。
【０１４３】
このような他の水上スポーツ用具アタッチメント装置の一例は、図２９Ａ〜図２９Ｈに示すフック装置１００である。容易に理解できるように、このフック装置はサーフボード（または他の水上スポーツ用具）に接続でき、このサーフボード（または他の水上スポーツ用具）を水平支持ロッド（または同様な構造体）から吊り下げることができる。
【０１４４】
このフック装置１００は第１端部１０１および第２端部１０２を有する。この第１端部１０１の近くにフック要素１０３を設けるとともに、第２端部１０２の近くに接続部分１０５を設ける。フック要素１０４と接続部分１０５との間に中間部分１０６を設ける。
【０１４５】
フック要素１０３は複数の孔１０４を有する。これらの孔を形成すると、装置が軽くなるだけでなく、装置製作時の材料使用量が少なくなり（コストを節約できる）作用効果を得ることができる。
【０１４６】
接続部分１０５は第１タブ１１５および第２タブ１９０を有する。第１タブ１１５および第２タブ１９０は、フィンプラグ１０の（それぞれ）第１キャビティ２０および第２キャビティ７５に挿入できるようになっている。
【０１４７】
第１タブは溝付き部分１６５を有する。この溝付き部分１６５は第１タブ１１５の側面１７０に設ける。例えば、この溝吹き部分１６５はフィンプラグ１０の延在部分３５に係合する形状に構成する。従って、一つの実施例では、例えば湾曲面である車輪状部材３５の表面が溝付き部分１６５に着座する。
【０１４８】
なお、上記の溝付き部分１６５は（フィンプラグ１の）延在部分３５の湾曲面に実質的に一致または係合する形状に構成しているが、このような一致または係合は必ずしも必要ない。この実施例では、溝付き部分１６５については、これが（フィンプラグ１の）延在部分３５上に転動し、この延在部分３５が第１タブ１１５を第１キャビティ２０内にロックするように構成する。また、ロック作用が生じ、第１タブ１１５がキャビティ内に押し込まれると、ロッド３０が湾曲し、そして力が延在部分３５に作用した時にロッド３０がわずかに湾曲した状態を維持し、このため所定の力が溝付き部分１６５に加わり、第１タブ１１５を第１キャビティ２０内に維持する。一つの具体的な実施例では、横向きの力か、あるいは下向きの力のいずれか一方か、あるいは両方が加わって第１タブ１１５をフィンプラグ１０内に維持する。
【０１４９】
第２タブ１９０には凹部１８５を形成する。この凹部１８５が、（第２キャビティ７５内の）装置１０の突出部８０に係合する。
【０１５０】
一つの具体的な実施例では、フック装置１００をフィンプラグ１０に挿入する場合、まず第２タブ１９０を挿入して第２タブ１９０の凹部１８５を（第２キャビティ７５内の）フィンプラグ１０の凸部８０に係合する。第２タブ１９０が一旦所定位置に位置した後は、フック装置１００を押し下げることによって第１タブ１１５を第１キャビティ２０にロックする。このようにして溝１６５が、少なくとも一部が第１キャビティ２０内に存在する（フィンプラグ１の）延在部分３５に係合する。
【０１５１】
図示から理解できるように、フック要素１０３の面は接続部分１０５の面に対して直角（垂直）になっている。このように構成すると、サーフボードをフック装置１００に（接続部分１０５を介して）接続した時に、サーブボードの実質的な面がフック要素１０３の面に対して実質的に平行になり、複数のサーフボードを支持ロッドからサンドイッチ構成で吊り下げることができる効果が得られる（スペース効率が向上する）。
【０１５２】
本発明の第５態様は、図３０Ａ〜図３５Ｃに示す充填材である。この充填材は２種類ある。即ち、間隙充填材と、プラグ完全充填材である。図３０Ａ〜図３２Ｅに示す間隙充填材は、フィンプラグ１０のフィンと第１キャビティ２０および/または第２キャビティ７５との間に残る場合がある間隙または空隙を充填するために使用できる。このような間隙は、元々は本明細書に記載するようなフィンプラグ１０に使用することを意図していないフィンを使用した場合に発生する。例えば図２８Ａ〜図２８Ｃに示すフィンは、アダプターやフィンプラグ１０と共に使用される他のフィンと共に使用される。フィンプラグ１０の間隙または空隙を充填することによって、間隙充填材はフィンおよびフィンプラグの流体力学的性能を向上するもので、例えば流体力学的抵抗が減少する。間隙充填材はフィンプラグ１０から砂などの異物を排除するためにも使用できるだけでなく、フィンプラグ、フィンおよびサーフボード/水上スポーツ用具全体の美観を改善するものでもある。
【０１５３】
図３０Ａ〜図３０Ｅは、センターフィンの間隙充填材３０１０の後部、側部、前部、上部および底部のそれぞれ正面図である。図３０Ｆ〜図３０Ｉは、外面３０１２、側面３０１４、前面３０１６、後面３０１８および底面３０２０を示したセンターフィンの間隙充填材３０１０に対応する斜視図である。正面３０１６が、図３２Ａ〜図３２Ｅを参照して以下詳しく説明するように、フィンプラグ１０の第２キャビティ７５のフィン係合手段８０即ち棚部分８０に係合する。
【０１５４】
図３１Ａ〜図３１Ｅは、サイドフィンの間隙充填材３１１０のそれぞれ後面、側面、前面、上面および底面を示す正面図である。図３１Ｆ〜図３１Ｉは、外面３１１２、側面３１１４、前面３１１６、後面３１１８および底面３１２０を示したサイドフィンの間隙充填材３１１０に対応する斜視図である。前面３１１６は上記のようにセンターフィンの間隙充填材３０１０に対応するものである。後面３１１８は別なサイドフィンプラグの前面３１１６を複製するために存在する。即ち、“前面”３１１６は、“後面”３１１８が右手フィンプラグに対して果たす同じ機能を左手フィンプラグに与えるものである。このため、サイドフィンの充填材３１１０を単に裏返すだけで、即ち回転するだけで一つの成形部品３１１０をライドサイドフィンプラグまたはレフトサイドフィンプラグに使用することが可能になる。
【０１５５】
図３２Ａ〜図３２Ｅは、センターフィンの間隙充填材３０１０をフィンプラグ１０にどのように装着するのかを示す図である。なお、別なフィン３２１０はもともとフィンプラグ１０を対象にして設計されたものではない。充填材３０１０の場合、図３２Ｂに示すように第２キャビティ７５に挿入すると、充填材の前面３０１６がフィン係合手段８０に係合する。次に、充填材３０１０の外面３０１２がフィンプラグ１０の上面即ち外面３２２０とほぼ同じ高さになるまで、充填材３０１０を第２キャビティ７５にプレス嵌めする。図３２Ｃに、第２キャビティ７５の前方領域１２に充填された充填材を示す。充填材３０１０のプレス嵌めについては、シリコーンゴムなどの材質を充填材として選択するとこれが容易になる。即ち、プレス嵌め時にゴムが変形し、次に第２キャビティ７５内で再度形を整え、充填材３０１０を第２キャビティ７５内に固定する。シリコーンゴムを選択すると、海洋環境において耐腐食性を示すので有利である。充填材として好適な他の材質としては熱可塑性ポリウレタン（ＴＰＵ）、熱可塑性エラストマー（ＴＰＥ）、ポリプロピレン（ＰＰ）も使用することができ、また当業者ならばこの他にも好適な材質を選択できるはずである。図３２Ｄおよび図３２Ｅに示すように、別なフィン３２１０のフロントタブ９０およびリアタブ１５はそれぞれ第２キャビティ７５および第１キャビティ２０に挿入される。フィン３２１０のフロントタブ９０も充填材３０１０のプレス嵌め、変形および再度の整形によって充填材３０１０の後面３０１８に係合できる。なお、充填材の後面３０１８はフロントタブ９０による固定が容易になるように形状などを構成できる。フィン３２１０も上記のようにフィンプラグ１０に固定できる。
【０１５６】
サイドフィンの間隙充填材３１１０の他のサイドフィンへの充填についても、センターフィンの間隙充填材３０１０について説明した同様な方法で実施できる。
【０１５７】
図３３〜図３５に、図３５Ｃに示すように、フィンが存在しない場合にフィンプラグ１０の第１キャビティ２０および第２キャビティ７５に完全充填するプラグ完全充填材を示す。完全プラグ充填材は間隙充填材の場合に記載したように、流体力学的性能を改善し、異物を排除し、そして外観を改善するために使用できる。プラグ完全充填材は、例えば一つのトライクアッドフィンサーフボード（tri-quad fin surfboard）においてトライフィンセットアップ、クアッドフィンセットアップなどのマルチフィンセットアップを変更できるサーフボードに特に有用である。トライクアッドフィンサーフボードはフィンプラグが５本である。バックアップの一つか二つのフィンプラグは、クアッドフィンセットアップを使用するか、あるいはトライフィンセットアップを使用するかに応じて、プラグ完全充填材で充填できる。なお、多くのマルチフィンセットアップサーフボードの場合、いくつかのフィンセットアップを対象としてバックアップのフィンプラグキャビティをもつことができる。
【０１５８】
図３３Ａ〜図３３Ｅはフィンプラグ１０の第１キャビティ２０を対象としたセンターフィンのプラグ完全充填材３３１０の後面、側面、前面、底面および上面をそれぞれ示す正面図である。図３３Ｆ〜図３３Ｉは外面３３１２、側面３３１４、前面３３１６、後面３３１８および底面３３２０を示す、センターフィンのプラグ完全充填材３３１０のそれぞれ対応する斜視図である。プラグ完全充填材３３１０の側面３３１４には小さな円形の突起部即ち突出部３３２２を形成しているため、充填材３３１０をフィンプラグのキャビティ２０に固定することが容易になる。また、充填材３３１０には垂直部材３３２４を形成しているため、第１キャビティ２０から充填材３３１０を取り外すことが容易になるだけでなく、図３５Ａ〜図３５Ｃを参照して以下に説明するように、充填材３３１０を同じ高さに設けることが容易になる。
【０１５９】
図３４Ａ〜図３４Ｅはフィンプラグ１０の第２キャビティ７５を対象としたセンターフィンのプラグ完全充填材３４１０の後面、側面、前面、底面および上面をそれぞれ示す正面図である。図３４Ｆ〜図３４Ｉは外面３４１２、側面３４１４、前面３４１６、後面３４１８および底面３４２０を示す、センターフィンのプラグ完全充填材３４１０のそれぞれ対応する斜視図である。プラグ完全充填材３４１０の側面３４１４には小さな円形の突起部即ち突出部３３２２を形成しているため、充填材３４１０をフィンプラグ１０の第２キャビティ７５に固定することが容易になる。また、充填材３４１０には２つの垂直部材３４２４、３４２６を形成しているため、第１キャビティ２０から充填材３３１０を取り外すことが容易になるだけでなく、図３５Ａ〜図３５Ｃを参照して以下に説明するように、充填材３３１０を同じ高さに設けることが容易になる。図示するように、２つの垂直部材３４２４、３４２６はそれぞれ底端部で接合する。これら２つの垂直部材の接合部が突起部３３２２の位置になる。あるいは、突起部３３２２は垂直部材３４２４、３４２６のいずれかに設けてもよい。
【０１６０】
なお、プラグ完全充填材もサイドフィンプラグを対象として設計かつ製作することが可能である。
【０１６１】
図３５Ａ〜図３５Ｃに、２つのプラグ完全充填材３３１０、３４１０をどのようにフィンプラグ１０に装着するのかを示す。プラグ完全充填材３３１０、３４１０両者の外面３３１２、３４１２がフィンプラグ１０の上面即ち外面３２２０とほぼ同じ高さになるまで、これらプラグ完全充填材３３１０、３４１０をそれぞれのキャビティ２０、７５にプレス嵌めする。上記したように、充填材がプレス嵌め時に変形し、次にキャビティ２０、７５内で再度形を整え、充填材３３１０、３４１０が固定するように充填材の材質を選択すると、充填材のプレス嵌めが容易になる。プラグ完全充填材の材質選択については、間隙充填材の場合と同様に行えばよい。さらに突起部３３２２を形成すると、キャビティ２０、７５内への固定がさらに容易になる。プラグ完全充填材３３１０、３４１０に対して垂直部材３３２４、３４２４、３４２６を使用すると、プラグ完全充填材の外面３４１２を押し下げ、プラグ完全充填材の少なくとも一部をフィンプラグ１０の外面３２２０よりも高くすることによってプラグ完全充填材をフィンプラグ１０から取り外すことが可能になる。プラグ完全充填材は手で簡単に取り外すことができる。
【０１６２】
キャビティをより完全に充填し、かつより確実に充填するために、プラグ完全充填材の場合より大きく製作することができるが、この実施態様の場合、取り外すさいには工具および/または爪を利用することになる。
【０１６３】
なお、多くの異なる材質を装置１０に使用することが可能であるが、ＡＢＳ（アクリロニトリルブタジエンスチレン、あるいは任意の他のプラスチック）またはザイテル（Ｚｙｔｅｌ、登録商標）から製作するのがよい。サイドキャップ５７、キャップ６０およびエンドプラグ５５も同じ材質から形成できる。ロッド３０は、例えばグレードの高いステンレス鋼またはチタンなどの任意の弾性材質から形成する。この材質は一般に劣化もせず、また錆びないため、水上スポーツ用具に使用しても強靭な特性を示す。同じ強靭な材質は延在部分３５にも使用することができる。なお、装置１０は射出成形によって形成できる。
【０１６４】
なお、フック装置１００は多数の異なる材質から形成できる。例えば、比較的コストが低く、またサーフボード（または他の水上スポーツ用具）を支持ロッドから吊り下げることが可能な十分な強度をもつ適正なプラスチック材質から形成できる。
【０１６５】
本明細書では、垂直、上下、左右などの方向を示す用語、あるいは回転を示す用語は、特に断らない限り、絶対的な方向または回転を示すものではなく、対応する図面における方向または回転であることを理解されたい。
【０１６６】
また、“有する、あるいはなる”（comprising, including, comprise, comprised, comprises）は“開いた（open）”意味において理解するべきもので、“のみからなる”という“閉じた（closed）”意味で解釈すべきものではない。
【０１６７】
また、以上説明し、請求項に記載した発明は、以上記載し、かつ明細書から明白な個々の特徴のうち２つかそれ以上の特徴からなる実施態様に拡張できるもので、これら異なる実施態様すべては本発明のそれぞれの態様を構成するものである。
【０１６８】
以上、本発明の具体的な実施態様を記載してきたが、当業者にとっては、発明の本質的な特徴から逸脱することなく、本発明を他の具体的な形態でも実施可能であることは説明するまでもないことである。従って、記載してきた実施態様および実施例はいずれも例示を目的とするもので、制限を意図していない。すべての変更例は当業者には自明なもので、いずれも本発明に包含されるものである。
【符号の説明】
【０１６９】
１０：装置、フィンプラグ
１５：第１フィン部分
２０：第１（開放）キャビティ
２５：キャビティ壁
３０：弾性部材、ロッド
３５：延在部分、突出部材
４０：凹部
５０：フィン
７５：第２（開放）キャビティ
【図１Ａ】
2015521975.tif 000003
【図１Ｂ】
2015521975.tif 000004
【図２Ａ】
2015521975.tif 000005
【図２Ｂ】
2015521975.tif 000006
【図２Ｃ】
2015521975.tif 000007
【図２Ｄ】
2015521975.tif 000008
【図２Ｅ】
2015521975.tif 000009
【図２Ｆ】
2015521975.tif 000010
【図２Ｇ】
2015521975.tif 000011
【図２Ｈ】
2015521975.tif 000012
【図２Ｉ】
2015521975.tif 000013
【図３Ａ】
2015521975.tif 000014
【図３Ｂ】
2015521975.tif 000015
【図３Ｃ】
2015521975.tif 000016
【図４Ａ】
2015521975.tif 000017
【図４Ｂ】
2015521975.tif 000018
【図４Ｃ】
2015521975.tif 000019
【図４Ｄ】
2015521975.tif 000020
【図４Ｅ】
2015521975.tif 000021
【図４Ｆ】
2015521975.tif 000022
【図４Ｇ】
2015521975.tif 000023
【図５Ａ】
2015521975.tif 000024
【図５Ｂ】
2015521975.tif 000025
【図５Ｃ】
2015521975.tif 000026
【図５Ｄ】
2015521975.tif 000027
【図５Ｅ】
2015521975.tif 000028
【図５Ｆ】
2015521975.tif 000029
【図５Ｇ】
2015521975.tif 000030
【図６Ａ】
2015521975.tif 000031
【図６Ｂ】
2015521975.tif 000032
【図６Ｃ】
2015521975.tif 000033
【図６Ｄ】
2015521975.tif 000034
【図６Ｅ】
2015521975.tif 000035
【図６Ｆ】
2015521975.tif 000036
【図６Ｇ】
2015521975.tif 000037
【図６Ｈ】
2015521975.tif 000038
【図６Ｉ】
2015521975.tif 000039
【図６Ｊ】
2015521975.tif 000040
【図６Ｋ】
2015521975.tif 000041
【図６Ｌ】
2015521975.tif 000042
【図６Ｍ】
2015521975.tif 000043
【図６Ｎ】
2015521975.tif 000044
【図６Ｏ】
2015521975.tif 000045
【図６Ｐ】
2015521975.tif 000046
【図７Ａ】
2015521975.tif 000047
【図７Ｂ】
2015521975.tif 000048
【図７Ｃ】
2015521975.tif 000049
【図７Ｄ】
2015521975.tif 000050
【図８Ａ】
2015521975.tif 000051
【図８Ｂ】
2015521975.tif 000052
【図８Ｃ】
2015521975.tif 000053
【図８Ｄ】
2015521975.tif 000054
【図９Ａ】
2015521975.tif 000055
【図９Ｂ】
2015521975.tif 000056
【図９Ｃ】
2015521975.tif 000057
【図９Ｄ】
2015521975.tif 000058
【図９Ｅ】
2015521975.tif 000059
【図９Ｆ】
2015521975.tif 000060
【図９Ｇ】
2015521975.tif 000061
【図９Ｈ】
2015521975.tif 000062
【図１０Ａ】
2015521975.tif 000063
【図１０Ｂ】
2015521975.tif 000064
【図１０Ｃ】
2015521975.tif 000065
【図１０Ｄ】
2015521975.tif 000066
【図１１Ａ】
2015521975.tif 000067
【図１１Ｂ】
2015521975.tif 000068
【図１１Ｃ】
2015521975.tif 000069
【図１１Ｄ】
2015521975.tif 000070
【図１２Ａ】
2015521975.tif 000071
【図１２Ｂ】
2015521975.tif 000072
【図１２Ｃ】
2015521975.tif 000073
【図１２Ｄ】
2015521975.tif 000074
【図１２Ｅ】
2015521975.tif 000075
【図１２Ｆ】
2015521975.tif 000076
【図１２Ｇ】
2015521975.tif 000077
【図１２Ｈ】
2015521975.tif 000078
【図１３Ａ】
2015521975.tif 000079
【図１３Ｂ】
2015521975.tif 000080
【図１３Ｃ】
2015521975.tif 000081
【図１４Ａ】
2015521975.tif 000082
【図１４Ｂ】
2015521975.tif 000083
【図１４Ｃ】
2015521975.tif 000084
【図１５Ａ】
2015521975.tif 000085
【図１５Ｂ】
2015521975.tif 000086
【図１５Ｃ】
2015521975.tif 000087
【図１６Ａ】
2015521975.tif 000088
【図１６Ｂ】
2015521975.tif 000089
【図１６Ｃ】
2015521975.tif 000090
【図１７Ａ】
2015521975.tif 000091
【図１７Ｂ】
2015521975.tif 000092
【図１７Ｃ】
2015521975.tif 000093
【図１７Ｄ】
2015521975.tif 000094
【図１８Ａ】
2015521975.tif 000095
【図１８Ｂ】
2015521975.tif 000096
【図１８Ｃ】
2015521975.tif 000097
【図１９】
2015521975.tif 000098
【図２０】
2015521975.tif 000099
【図２１】
2015521975.tif 000100
【図２２】
2015521975.tif 000101
【図２３】
2015521975.tif 000102
【図２４】
2015521975.tif 000103
【図２５Ａ】
2015521975.tif 000104
【図２５Ｂ】
2015521975.tif 000105
【図２５Ｃ】
2015521975.tif 000106
【図２６Ａ】
2015521975.tif 000107
【図２６Ｂ】
2015521975.tif 000108
【図２７Ａ】
2015521975.tif 000109
【図２７Ｂ】
2015521975.tif 000110
【図２８Ａ１】
2015521975.tif 000111
【図２８Ａ２】
2015521975.tif 000112
【図２８Ｂ１】
2015521975.tif 000113
【図２８Ｂ２】
2015521975.tif 000114
【図２８Ｃ１】
2015521975.tif 000115
【図２８Ｃ２】
2015521975.tif 000116
【図２９Ａ】
2015521975.tif 000117
【図２９Ｂ】
2015521975.tif 000118
【図２９Ｃ】
2015521975.tif 000119
【図２９Ｄ】
2015521975.tif 000120
【図２９Ｅ】
2015521975.tif 000121
【図２９Ｆ】
2015521975.tif 000122
【図２９Ｇ】
2015521975.tif 000123
【図２９Ｈ】
2015521975.tif 000124
【図３０Ａ−３０Ｉ】
2015521975.tif 000125
【図３１Ａ−３１Ｉ】
2015521975.tif 000126
【図３２Ａ】
2015521975.tif 000127
【図３２Ｂ】
2015521975.tif 000128
【図３２Ｃ】
2015521975.tif 000129
【図３２Ｄ】
2015521975.tif 000130
【図３２Ｅ】
2015521975.tif 000131
【図３３Ａ−３３Ｉ】
2015521975.tif 000132
【図３４Ａ−３４Ｉ】
2015521975.tif 000133
【図３５Ａ】
2015521975.tif 000134
【図３５Ｂ】
2015521975.tif 000135
【図３５Ｃ】
2015521975.tif 000136
【国際調査報告】
2015521975.tif 000137
2015521975.tif 000138
2015521975.tif 000139
2015521975.tif 000140
2015521975.tif 000141